(57)【要約】【課題】患者等のベッド上の位置を検出することができ、これにより患者等の落下を防止することができるベッド上の位置ずれ検出装置を提供する。【解決手段】ベッド１の幅方向の複数箇所に生体センサ３ａ〜３ｃを配置し、生体センサにより患者からの生体振動を空気圧の変動としてとらえ、各生体センサにおける空気圧の変動を夫々電気信号に変換した後、これらの生体情報信号を比較して、出力電圧が最も高いもの又はＳ／Ｎ比が最も高いものを求める。【選択図】  図１
2004159808.tif 000002
【特許請求の範囲】
【請求項１】
ベッドの幅方向の複数箇所に配置され患者からの振動を空気圧の変動としてとらえる生体センサと、前記各生体センサにおける空気圧の変動を夫々電気信号に変換する変換手段と、前記複数の電気信号又はその増幅信号からなる生体情報信号のうち最も強いものを出力する生体センサを求める信号処理部とを有することを特徴とするベッド上の位置ずれ検出装置。
【発明の詳細な説明】
【０００１】
【発明の属する技術分野】
本発明は、患者等がベッドから落下することを防止するためのベッド上の位置ずれを検出する装置に関する。
【０００２】
【従来の技術】
介護ベッドにおいては、患者がベッド上から落下しないようにすることが必要であり、このため、ベッドサイドに柵を設けることがある。また、患者が落下しても大きな事故にならないようにするために、ベッドの高さを低くしている。
【０００３】
【特許文献１】
特開２００１−１４５６０５号公報
【特許文献２】
特開２００１−２７６０１９号公報
【０００４】
【発明が解決しようとする課題】
しかしながら、患者に対する配慮から、このような柵を設けることは好ましくない。また、ベッドの高さを低くしても、落下することを防止できるものではなく、落下自体を防止することが要望されている。
【０００５】
本発明はかかる問題点に鑑みてなされたものであって、患者等のベッド上の位置を検出することができ、これにより患者等の落下を防止することができるベッド上の位置ずれ検出装置を提供することを目的とする。
【０００６】
【課題を解決するための手段】
本発明に係るベッド上の位置ずれ検出装置は、ベッドの幅方向の複数箇所に配置され患者からの振動を空気圧の変動としてとらえる生体センサと、前記各生体センサにおける空気圧の変動を夫々電気信号に変換する変換手段と、前記複数の電気信号又はその増幅信号からなる生体情報信号のうち最も強いものを出力する生体センサを求める信号処理部とを有することを特徴とする。
【０００７】
【発明の実施の形態】
以下、本発明の実施形態について、添付の図面を参照して具体的に説明する。図１は本発明の実施形態を示す図、図２は生体センサの設置態様を示す図、図３は信号処理方法を示す波形図である。ベッド１上に一例として３個の生体センサ３ａ、３ｂ、３ｃがベッド１の幅方向に並べて配置されている。これらの生体センサ３ａ〜３ｃは特開２００１−１４５６０５号公報（特許文献１）及び特開２００１−２７６０１９号公報（特許文献２）に開示されたものであり、気密性を有する袋又はキャビネットの中に空気が封入されており、この袋の内部に連結されたチューブ４ａ、４ｂ、４ｃが、ベッドの脇に設けられたマイクロフォン５ａ、５ｂ、５ｃに接続され、マイクロフォン５ａ〜５ｃにより生体センサ３ａ〜３ｃの袋内の空気圧の変化が検出されるようになっている。そして、マイクロフォン５ａ〜５ｃの検出信号は、増幅部６ａ、６ｂ、６ｃにより増幅された後、信号処理部７により信号処理される。
【０００８】
生体センサ３ａ〜３ｃは、柔軟なゴム、プラスチックス、布等で制作された気密性を有する袋又は金属、ゴム、プラスチックス、木材等で製作された内部容積が変動可能なキャビネット内に空気を封入したものである。患者の動きに起因する振動又は呼吸等の生体振動がこの生体センサ３ａ〜３ｃ内の空気圧の変動となって検出される。
【０００９】
そして、この生体センサ３ａ、３ｂ、３ｃの内部の空気圧の変化がマイクロフォン５ａ、５ｂ、５ｃにより検出され、電気信号となって増幅部６ａ、６ｂ、６ｃに入力される。その後、増幅後の音信号は信号処理部７により信号処理される。
【００１０】
生体センサ３ａ〜３ｃ内の空気圧変動により検出された音信号の中には、生体の動きに起因する音信号と生体から発生する種々の振動（呼吸及び脈拍等）による音信号が含まれており、信号処理部７はこれらの３個の生体センサ３ａ〜３ｃから検出された生体情報信号を比較し、出力電圧が最も高いもの、又はＳ／Ｎ比が最も高いものを求める。
【００１１】
生体センサ３ａ〜３ｃは、図２に示すように、ベッド１の種々の位置３１，３２又は３３に設置することができる。ベッド１においては、ボトム１０上に多層マットレス１１が載置されており、多層マットレス１１とボトム１０との間の位置３１、多層マットレス１１の層間の位置３２、及び患者とマットレス１１との間の位置３３のいずれに生体センサ３ａ〜３ｃを配置しても良い。但し、位置３３は患者２に空気を封入した生体センサを配置することになるため、寝心地を悪くするという欠点があるが、最も高い出力電圧を得ることができる。位置３２は多層マットレスの層間であるが、生体センサは前述のごとく袋又は内部容積変動可能のキャビネット内に、空気を封入し、その空気圧の変動をマイクロフォンにより検出するものであるから、生体センサがマットレスの層間のように柔らかい物に挟まれた状態では、生体センサからの出力電圧は３者の中で最も低いものとなる。これに対し、ベッドボトム１０とマットレス１１との間の位置３１は、生体である患者２の位置から最も遠いものであるため、位置３３よりも出力電圧が低くなるものの、一面が硬いベッドボトムに接しているので、空気振動の減衰は少なく、出力電圧は位置３２の場合よりも高い。しかも、この位置３１に生体センサを設置した場合は、生体センサが患者に接触することがないので、患者の寝心地を悪化させることはない。
【００１２】
次に、本実施形態の動作について説明する。患者の動き又は患者の生体振動が、ベッド１に設置された３個の生体センサ３ａ〜３ｃによりその内部の空気振動として検出され、この生体センサ３ａ〜３ｃの内部の空気圧の変動がマイクロフォン５ａ〜５ｃにより電気信号に変換され、増幅部６ａ〜６ｃで同一の増幅率で増幅された後、生体情報信号として信号処理部７に入力される。信号処理部７においては、この生体センサ３ａ〜３ｃからの生体情報信号の電圧を比較し、その電圧が最も高いものを求める。
【００１３】
これにより、患者はこの電圧が最も高い生体情報信号を出力した生体センサ上にその身体の主要部分をおいていることを検知することができる。よって、ベッドの両サイドに設置された生体センサ３ａ、３ｃからの生体情報信号の出力電圧が最も高かった場合には、患者がベッドの端にいて、落下する危険性が高いことを検知することができる。この場合に、警報等により介護者に知らせることにより、介護者が患者の位置をベッド中央に戻すことができ、患者の落下を防止することができる。これに対し、生体センサ３ｂからの生体情報信号の出力電圧が最も高い場合は、患者がベッドの中央にいて落下の危険性がないことを検知することができる。
【００１４】
この生体情報信号の大小の比較は、上述のごとく、生体情報信号の出力電圧（振幅）によらず、そのＳ／Ｎ（信号／ノイズ）比により行ってもよい。患者が存在しない生体センサからはノイズ信号のみが入力されるが、患者が存在する生体センサからは、ノイズのほかに、生体情報信号も入力されるため、その出力信号のＳ／Ｎ比を比較することにより、患者が上に存在する生体センサを求めることができる。
【００１５】
なお、本発明は、介護ベッドに適用した場合に、患者のような弱者のベッドからの落下を防止できるため、介護者が常時監視している必要がなく、介護者の負担も軽減できるため、特に有効であるが、一般家庭用のベッドに適用しても、ベッド利用者の落下を防止できるため、有効である。
【００１６】
【発明の効果】
以上詳述したように、本発明によれば、患者等の位置がずれていること、即ち、患者等の位置がベッドの端にあり、落下する危険性が高いことを検出することができ、患者等の落下を防止することができる。
【図面の簡単な説明】
【図１】本発明の実施形態を示す図である。
【図２】生体センサの設置態様を示す図である。
【符号の説明】
１：ベッド
２：患者
３ａ〜３ｃ：生体センサ
４ａ〜４ｃ：チューブ
５ａ〜５ｃ：マイクロフォン
６ａ〜６ｃ：増幅部
７：信号処理部
【図１】
2004159808.tif 000003
【図２】
2004159808.tif 000004